(57)【特許請求の範囲】
【請求項１】
座を跳ね上げて前後にネスティング可能な椅子において、
後下方に向かって延びる左右の後向き脚を前下方に向かって延びる左右の前向き脚の内側に配置し、
これら後向き脚と前向き脚を中間で交叉するように幅方向に連結して、
少なくとも使用状態で後向き脚と前向き脚が一定角度をなすように構成し、
左右の後向き脚の間を連結部材によって連結して、前記連結部材の上面を座受けとし、
前記座を跳ね上げた自立状態において、前記座の後縁が前記座受けよりも上方に配置されるように構成したことを特徴とする椅子。
【請求項２】
前向き脚の交叉部よりも上端部側で座を回転軸に支持させ、後向き脚の上端部に前記座受けを設定して着座状態の姿勢を保つ請求項１に記載の椅子。
【請求項３】
後向き脚および前向き脚の脚材は平面視直線状のものである請求項１又は２に記載の椅子。
【請求項４】
交叉部を挟んで左右の後向き脚の上端部側の間を前記連結部材によって連結し、前記交叉部を挟んで左右の後向き脚の下端部側の間をもう一つの連結部材によって連結している請求項１〜３の何れかに記載の椅子。
【請求項５】
左右の前向き脚間は、左右の後向き脚間を連結する前記連結部材よりも上方で連結されている請求項４に記載の椅子。
【請求項６】
座の後部下方が左右の前向き脚の上端部側を連結する支持杆に支持され、この支持杆の一部に回転軸が設定されるとともに、左右の後向き脚の上端部間が前記連結部材で連結され、当該連結部材の上面が前記座受けとされている請求項２〜５の何れかに記載の椅子。
【請求項７】
支持杆は中央の座取付領域を両側の前向き脚への被取付領域よりも少なくとも上方へ偏倚させた形状であり、前記座取付領域に前記回転軸が設定される請求項６に記載の椅子。
【請求項８】
座の下面であって前記座受けに対応する位置に、当該座の下面から突出する座側被支持部を設けている請求項２〜７の何れかに記載の椅子。
【発明の詳細な説明】
【技術分野】
【０００１】
本発明は、簡易な構造で脚の材質によらずネスティングを有効に実現できるようにした椅子に関するものである。
【背景技術】
【０００２】
従来より、不使用時の椅子をコンパクトに収納するために、パイプ椅子のようにそれ自体が平坦に折り畳まれるタイプのものや、機能や外観、素材等に起因して折り畳みができないために自立状態で前後に重ね合わせる所謂ネスティングができるタイプのもの等が知られている。
【０００３】
このうち、ネスティング可能な椅子としては、特許文献１等に示すものを挙げることができる。
【０００４】
この椅子は、座を跳ね上げて前後にネスティングできるように構成されている。
【先行技術文献】
【特許文献】
【０００５】
【特許文献１】特開２０１５−１３４１２４号公報
【発明の概要】
【発明が解決しようとする課題】
【０００６】
しかしながら、このものは、後下方に向かって延びる左右の後向き脚と前下方に向かって延びる左右の前向き脚とを一本の脚材をねじることによって構成されている。このため、脚材が金属製のパイプフレーム等に限定されるという問題がある。
【０００７】
これに対し、後向き脚と前向き脚を幅方向に重ね合わせて連結することも考えられるが、同引用文献１のように後向き脚を前向き脚の外側に配置し、交叉部付近において左右の後向き脚間に強度部材（背支持部材）を架設すると、ネスティングの際に後方から近づけた別の椅子の後向き脚や前向き脚が強度部材と干渉するため、スタックピッチが制限されてしまう。
【０００８】
また、前向き脚と後向き脚の境界部に座の回転軸と座受けを配置すると、トルクアームが短くなるため、座受けに高荷重が作用し易くなり、前向き脚と後向き脚の境界部に必要以上に高い剛性をもたせなければならなくなるという課題もある。
【０００９】
本発明は、上記のような課題を解消し、簡易な構造であっても荷重を確実に支持でき、かつ脚材によらずにネスティングを有効に実現できるようにした椅子を提供することを目的としている。
【課題を解決するための手段】
【００１０】
本発明は、かかる目的を達成するために、次のような手段を講じたものである。
【００１１】
すなわち、本発明の椅子は、座を跳ね上げて前後にネスティング可能な椅子において、後下方に向かって延びる左右の後向き脚を前下方に向かって延びる左右の前向き脚の内側に配置し、これら後向き脚と前向き脚を中間で交叉するように幅方向に連結して、少なくとも使用状態で後向き脚と前向き脚が一定角度をなすように構成し、左右の後向き脚の間を連結部材によって連結して、前記連結部材の上面を座受けとし、前記座を跳ね上げた自立状態において、前記座の後縁が前記座受けよりも上方に配置されるように構成したことを特徴とする。
【００１２】
すなわち、後向き脚と前向き脚の内外関係を、脚同士を交叉させずに実現しようとすると、後向き脚と前向き脚の連結構造が特殊になったり、脚材のねじり加工等が必要になるが、脚同士を交叉させれば簡素な脚材の重ね合わせで簡単に実現することができる。
【００１３】
また、前向き脚は交叉部よりも上端側に背凭れや座の支持杆等を取り付ければ比較的簡単に剛性を出せるが、前向き脚の剛性を出すためには適宜箇所を強度部材で連結することが必要になってくる。この場合、後ろ向き脚が前向き脚の外側に配置されていると、ネスティングの際に後方から別の椅子を近づけたときに、後方の椅子の連結部材が前方の椅子の前向き脚等と干渉してスタックピッチが制限される。これに対して、本発明のように後向き脚を前向き脚の内側に配置しておけば、左右の後向き脚間が強度部材で連結されていても、ネスティングの際に強度部材が前方の椅子の左右の前向き脚間に干渉することなく進入することができるので、スタックピッチが制限されることを回避することができる。
【００１４】
座受けの負荷を軽減するためには、前向き脚の交叉部よりも上端部側で座を回転軸に支持させ、後向き脚の上端部に座受けを設定して着座状態の姿勢を保つように構成することが好ましい。
【００１５】
以上を踏まえれば、後向き脚および前向き脚の脚材は平面視直線状のものが好適であり、また、交叉部を挟んで左右の後向き脚の上端部側の間を上記連結部材によって連結し、交叉部を挟んで左右の後向き脚の下端部側の間をもう一つの連結部材によって連結することが望ましい。
【００１６】
加えて、ネスティングの便のために、左右の前向き脚間は、左右の後向き脚間を連結する連結部材よりも上方で連結されていることが好ましい。
【００１７】
構造の簡素化とともに、ネスティングの邪魔にならないように部品点数の効果的な削減を図るためには、座の後部下方が左右の前向き脚の上端部側を連結する支持杆に支持され、この支持杆の一部に回転軸が設定されるとともに、左右の後向き脚の上端部間が連結部材で連結され、当該連結部材の上面が座受けとされていることが望ましい。
【００１８】
この場合、座の跳ね上げがネスティングに必要な下方空間を狭めることを有効に回避するためには、支持杆は中央の座取付領域を両側の前向き脚への被取付領域よりも少なくとも上方へ偏倚させた形状であり、前記座取付領域に前記回転軸が設定されることが好ましい。
【００１９】
上記以外にネスティングの便を向上させるためには、座の下面であって座受けに対応する位置に、当該座の下面から突出する座側被支持部を設けていることが好適である。
【発明の効果】
【００２０】
本発明は、以上説明した構成であるから、簡易な構造であっても荷重を確実に支持でき、かつ脚材によらずにネスティングを有効に実現できるようにした椅子を提供することができる。
【図面の簡単な説明】
【００２１】
【図１】本発明の一実施形態に係る椅子の使用状態を示す斜視図。
【図２】同正面図。
【図３】同平面図。
【図４】同右側面図。
【図５】同実施形態に係る椅子の座を跳ね上げた状態を示す斜視図。
【図６】同正面図。
【図７】同平面図。
【図８】同右側面図。
【図９】同椅子の一部分解斜視図。
【図１０】同椅子のネスティングを説明するための図。
【発明を実施するための形態】
【００２２】
以下、本発明の一実施形態を、図面を参照して説明する。
【００２３】
図１及び図５に示す椅子Ａは、木製のもので、座１が跳ね上げ可能、かつ自立状態のままで前後に重ね合わせてネスティング可能なように構成されている。
【００２４】
具体的に説明すると、この椅子Ａは、後下方に延びる後向き脚２と、前下方に延びる前向き脚３とを中間部で幅方向に連結し、後向き脚２の上端部２ｂに座受け２ｘを配するとともに、前向き脚３の上端部３ｂ側に回転軸ｍを設けて座１の後縁１ａ側の下面１ｃを回転可能に支持している。そして、前向き脚３の上端部３ｂに背支桿４を一体に連接し、左右の背支桿４、４間に背５を取り付けている。
【００２５】
図３及び図４に示すように、前向き脚３は、下端部３ａから上端部３ｂに向かって漸次幅広となる側面視形状を有し、平面視形状は直線状をなしている。後向き脚２も、下端部２ａから上端部２ｂに向かって漸次幅広となる側面視形状を有し、平面視形状は直線状をなしている。さらに、背支桿４は下端部４ａから上端部４ｂに向かって漸次幅狭となる側面視形状を有し、平面視形状は直線状をなしている。この背支桿４と前記前向き脚３とは部材同士を接合したものでもよく、部材から一体に切り出すなどして形成したものでも構わない。
【００２６】
左右の後向き脚２、２の間は、図２及び図５に示すように、幅方向に延びる第１の連結部材２１および第２の連結部材２２によって梯子状に連結されている。第１の連結部材２１は左右の後向き脚２の上端部２ｂ付近の内面２ｃ、２ｃ間を連結し、第２の連結部材２２は後述する後向き脚２と前向き脚３との連結位置Ｊを挟んで第１の連結部材２１と反対側に位置する部位における内面２ｃ、２ｃ間を連結するもので、何れも平面視及び正面視が直線形状をなしている。
【００２７】
これら前向き脚３、後向き脚２、背支桿４、第１、第２の連結部材２１、２２には、全て同じ木製角材が用いてある。
【００２８】
そして、後向き脚２を前向き脚３の内面３ｃ側に位置づけて側面視Ｘ字状に交叉させ、その交叉角度を維持した状態で、後向き脚２と前向き脚３とを連結部材７によって幅方向に連結している。連結部材７は、図９（ａ）に示すようにＬ字金具によって構成されたもので、前向き脚３の内面３ｃに当該連結部材７の一片７１を挟み込んだ状態で後向き脚２の内面２ｃを当てがい、後向き脚２および連結部材７の一片７１に挿入した皿ビス等の止着具ｖ１を前向き脚３の内面３ｃに緊締している。そしてその取付時に、連結部材７の他片７２が後向き脚２の前面２ｄに添接している状態にしておき、前方から他片７２に挿通した皿ネジ等の止着具ｖ２を後向き脚２の前面２ｄに緊締している。
【００２９】
一方、図１及び図５に示すように、左右の前向き脚３、３の間は、背凭れ５と座回転支持部６によって連結されている。背凭れ５は、合板を前方が凹となるように湾曲させたもので、斜め前側方に延びる左右の湾曲部５１の背面側に設定した被取付部位５１ａと、背支桿４の対応するコーナーに面取り加工して形成した取付部位４１とを突き当て、背凭れ５１の前面側からダボ等の止着具ｖ３を挿入して背支桿４に取り付け固定している。座回転支持部６は、図５及び図９（ｂ）等に示すように、左右の前向き脚３の上端部３ｂ近傍における内面３ｃ、３ｃ間に亘って取り付けた支持杆６１と、この支持杆６１に回転可能に取り付けた回転部材６２とを備えている。支持杆６１は、同軸上に位置する左右の被取付領域６１ａ、６１ａと、この左右の被取付領域６１ａ、６１ａの間にあって当該被取付領域６１ａの中心ｎに対して、図６に示すように上方にΔ１、図７に示すように後方にΔ２だけ偏倚した位置に軸心ｍを持ち出した座取付領域６１ｂとを丸棒状鋼材の塑性変形加工によって形成したものである。一方、回転部材６２は、図９等に示すように扁平な箱舟状のもので、支持杆６１の座取付領域６１ｂの左右２箇所を軸承するリブ等からなる上向き略半円状の軸承部６２ａと、これらの軸承部６２ａとの間で支持杆６１の座取付領域６１ｂを挟み込むようにして軸承部６２ａの周辺に係合する下向き略半円状の押さえ部材６２ｂとを有し、その状態で回転部材６２の挿通孔６２ｃに下方から挿通したねじ等の止着具ｖ４を図６に示す座１の下面１ｃに緊締している。その際、図９（ｂ）に示す支持杆６１の座取付領域６１ｂと回転部材６２の間には規制部材６２ｃを用いて座１を所定の跳ね上げ位置にクリックストップさせるストッパ機構を構成している。このストッパ機構は、規制部材６２ｃが座取付領域６１ｂとの間の適宜の凹凸係合構造（不図示）によって、座１を跳ね上げた位置（１箇所又は２箇所）で安定的に仮保持するものであり、保持力を超える力を付与することによって保持状態を解除可能としている。
【００３０】
以上の結果、この椅子Ａは、前向き脚３と後向き脚４が図１に示す使用状態においても図５に示す座１の跳ね上げ状態においても常時一定角度を保って自立状態とされる。そして、後向き脚２の上端部２ｂ間を連結する第１の連結部材２１は上面が水平状態とされ、この上面が座受け２ｘに設定されている。
【００３１】
そして、座１の下面１ｃであって、座１が図６に示す支持杆６１の取付領域６１ｂの軸心ｍ回りに回転した際に第１の連結部材２１の上面の座受け２ｘと当接する位置に、座側被支持部材１１を突出させて取り付けており、この座側被支持部材１１が座受け２ｘに当接した図２及び図４の状態で座１が所定角度の使用位置に支持されて着座者の荷重を受け得るようにしている。
【００３２】
また、軸心ｍを偏倚させることによって、図６に示すように跳ね上げた座１の後縁１ａを少なくとも支持杆６１の左右の取付領域６１ａの高さ位置まで持ち上げており、また図７に示すように座１の上面１ｄを背凭れ５の前面５ａに極力近づける位置まで後退させている。
【００３３】
このように構成される椅子Ａの座１を図５及び図８に示すように跳ね上げた状態で、図１０に示すように前方の椅子Ａｆの後方から別の椅子Ａｂを近づけると、後方の椅子Ａｂの座受け２ｘ（Ａｂ）が前方の椅子Ａｆを構成する座１（Ａｆ）の後縁１ａ（Ａｆ）の下を通り、かつ後方の椅子Ａｂを構成する左右の後向き脚２（Ａｂ）が前方の椅子Ａｆを構成する左右の前向き脚３（Ａｆ）の内面間を通過して前方の椅子Ａｆの後向き脚２（Ａｆ）に近づき、同時に後方の椅子Ａｂを構成する左右の前向き脚３（Ａｂ）が前方の椅子Ａｆを構成する左右の後向き脚２（Ａｆ）の外側に入り込む。さらに、後方の椅子Ａｂの背凭れ５（Ａｂ）はその凹となる内側に前方の椅子Ａｆの背凭れ５（Ａｆ）および背支桿４（Ａｆ）を受け入れ、前方の椅子Ａｆを構成する背凭れ５（Ａｆ）の背面５ｃ（Ａｆ）が後方の椅子Ａｂを構成する座１（Ａｂ）の下面１ｃ（Ａｂ）に当接ないし近接した位置でネスティングが完了する。
【００３４】
この際、図２に示すように、左右の前向き脚３の内面３ｃ、３ｃ間の内法寸法Ｗ１に比べて左右の後向き脚２の外面２ｄ、２ｄ間の外法寸法Ｗ２は、少なくとも連結部材７の一片７１の厚み２枚分相当だけ小さいため、図１０に示す後方の椅子Ａｂを構成する後向き脚２（Ａｂ）は前方の椅子Ａｆを構成する前向き脚３（Ａｆ）の内側に、また後方の椅子Ａｂを構成する前向き脚３（Ａｂ）は前方の椅子Ａｆを構成する後向き脚２（Ａｆ）の外側に、それぞれスムーズに重合することができる。
【００３５】
この椅子Ａを移動させるときは、跳ね上げた状態で図５に示す後向き脚２，２間を連結する第１の連結部材２１と背凭れ５の下縁５ｂが持ち手となるため、キャスター等を設けずとも簡単に運搬することができる。
【００３６】
以上のように、本実施形態の椅子Ａは、座１を跳ね上げて前後にネスティング可能なものにおいて、後下方に向かって延びる左右の後向き脚２を前下方に向かって延びる左右の前向き脚３の内側に配置し、これら後向き脚２と前向き脚３を中間で交叉するように幅方向に連結して、少なくとも使用状態で後向き脚２と前向き脚３が一定角度をなすように構成したものである。
【００３７】
このように、後向き脚２と前向き脚３の内外関係を部材を交叉させることにより実現しているので、簡素な脚材を用いてネスティングに必要な脚構造を簡単に実現することができる。また、前向き脚３の剛性を出すうえで適宜箇所を強度部材で連結するにあたり、本実施形態のように後向き脚２を前向き脚３の内側に配置しておけば、左右の後向き脚２、２間が連結部材２１、２２で連結されていても、ネスティングの際に連結部材２１、２２が前方の椅子Ａｆの左右の前向き脚３、３間に干渉することなく進入することができるので、スタックピッチが制限されることを有効に回避することができる。
【００３８】
また、前向き脚３の交叉部Ｊよりも上端部３ｂ側で座１を回転軸ｍに支持させ、後向き脚２の上端部２ｂに座受け２ｘを設定して着座状態の姿勢を保つようにしており、回転軸ｍと座受け２ｘの間の距離を離すことができるので、トルクアームが大きくなり、座受け２ｘに高荷重が作用することを有効に回避することができる。
【００３９】
さらに、後向き脚２および前向き脚３の脚材は平面視直線状のものを用いている。すなわち、本実施形態では、後向き脚２と前向き脚３の内外関係を保つことでネスティングが可能となるため、脚材はむしろこのようなシンプルな構造が適しており、構造の簡素化や脚材の多様化にも通ずるものとなる。
【００４０】
特に、交叉部Ｊを挟んで左右の後向き脚２の上端部２ｂ側の間および下端部２ａ側の間を、それぞれ連結部材２１、２２によって連結している。すなわち、本実施形態では後向き脚２の構造がネスティングに影響を及ぼさないため、このように左右の後向き脚２、２間を適切な位置で連結して剛性を高めることができる。
【００４１】
この場合、左右の前向き脚３、３間は、左右の後向き脚２、２間を連結する連結部材２１、２２よりも上方で連結されているので、ネスティングする際、これら左右の後向き脚２、２間の連結部材２１，２２が左右の前向き脚３、３間の連結部分と干渉することを回避することができる。
【００４２】
具体的構成としては、座１の後縁１ａ側の下方が左右の前向き脚３の上端部３ｂ側を連結する支持杆６１に支持され、この支持杆６１の一部に回転軸ｍが設定されるとともに、左右の後向き脚２の上端部２ｂ、２ｂ間が連結部材２１で連結され、当該連結部材２１の上面が座受け２ｘとされており、剛性を高めるための部材に回転軸ｍや座受け２ｘの機能を兼ねさせているので、構造の簡素化とともに、ネスティングの邪魔にならないように部品点数の効果的な削減を図ることができる。
【００４３】
その際、支持杆６１は中央の座取付領域６１ｂを両側の前向き脚３への被取付領域６１ａよりも少なくとも上方へ偏倚させて回転軸ｍを持ち上げているため、座１を跳ね上げたときの座１の後縁１ａをこれに伴って上方に持ち上げることができ、ネスティングに必要な下方空間を狭めることを有効に回避することができる。
【００４４】
さらに、座１の下面１ｃであって座受け２ｘに対応する位置に、当該座１の下面１ｃから突出する座側被支持部１１を設けており、座受け２ｘの位置を低く抑えることができるので、ネスティング時に起立した座１の後縁１ａを通し易くすることができる。
【００４５】
以上、本発明の一実施形態について説明したが、脚や連結部材の素材を始めとして、各部の具体的な構成は図示例に限定されるものではなく、本発明の趣旨を逸脱しない範囲で種々変形が可能である。
【符号の説明】
【００４６】
１…座
１ａ…後縁
１ｃ…下面
２…後向き脚
２ａ…下端部
２ｂ…上端部
２ｘ…座受け
３…前向き脚
３ｂ…上端部
１１…座側被支持部（座側被支持部材）
２１…第１の連結部材
２２…第２の連結部材
６１…支持杆
６１ａ…被取付領域
６１ｂ…座取付領域
Ａ…椅子
Ｊ…交叉部
ｍ…回転軸
【図１】
0006661329.tif 000002
【図２】
0006661329.tif 000003
【図３】
0006661329.tif 000004
【図４】
0006661329.tif 000005
【図５】
0006661329.tif 000006
【図６】
0006661329.tif 000007
【図７】
0006661329.tif 000008
【図８】
0006661329.tif 000009
【図９】
0006661329.tif 000010
【図１０】
0006661329.tif 000011